(57)【要約】【課題】  用紙に記入される記入情報を、位置情報として電子ペンで取得する方法において、記入情報と位置情報とを整合性を持たせて消去する位置情報の消去方法を提供すること。【解決手段】  消去する記入情報に貼付される、理論上の空間において位置情報を消去する領域と定義された領域に対応付けられた情報消去用紙４０に、電子ペン１を用いて入力された情報消去用紙４０の位置を特定する記入情報を、ペンサーバ４で位置情報として取得するステップと、情報消去用紙４０の形状情報をペンサーバ４に接続されたストレージサーバ４５から取得するステップと、この形状情報とこの位置情報とを用いて、情報消去用紙４０の理論上の空間における貼付位置を計算して、この貼付位置と重なる領域の用紙の位置情報を消去又は履歴ファイルに移動するステップからなる位置情報の消去方法を解決手段とする。【選択図】      図９
2005085155.tif 000002
【特許請求の範囲】
【請求項１】
種類を特定可能に作成された用紙に手書きで記入される記入情報を、ストロークデータとして電子ペンを用いて取得し、端末装置において前記ストロークデータを理論上の空間における位置情報に変換して前記端末装置の記憶手段に格納する方法において用いられ、前記位置情報を、これに対応する前記記入情報と合わせて消去する電子ペンにおける情報の消去方法であって、
ａ）前記用紙の消去する記入情報に貼付された、理論上の空間において位置情報を消去する領域と定義された領域に対応付けられた所定の形状を有する情報消去用紙に、前記電子ペンを用いて入力された前記情報消去用紙の位置を特定する記入情報を、前記端末装置で位置情報として取得するステップと、
ｂ）前記情報消去用紙の形状情報を前記記憶手段から取得するステップと、
ｃ）前記形状情報と前記ステップａで取得した位置情報とを用いて、前記情報消去用紙の理論上の空間における貼付位置を計算して、この貼付位置と重なる前記用紙の位置情報を消去又は履歴ファイルに移動するステップとを含むこと、
を特徴とする電子ペンにより取得した位置情報の消去方法。
【請求項２】
ｄ）前記情報消去用紙に前記電子ペンを用いて記入される記入情報を、前記ステップｃで算出された前記情報消去用紙の理論上の空間における貼付位置を用いて、前記用紙への貼付位置に対応した位置情報として取得するステップをさらに含むこと、
を特徴とする請求項１に記載の電子ペンにより取得した位置情報の消去方法。
【請求項３】
前記情報消去用紙は、
所定の幅を有するテープ状に加工された形状を持ち、任意の長さに切断して用いることを特徴とする請求項１または請求項２に記載の電子ペンにより取得した位置情報の消去方法。
【請求項４】
種類を特定可能に作成された用紙に手書きで記入される記入情報を、電子ペンを用いてストロークデータとして取得し、端末装置において前記ストロークデータから変換されて格納された理論上の空間における位置情報を、所定の形状を有する情報消去用紙を消去する前記記入情報に貼付することで消去する電子ペンにより取得した位置情報の消去方法において、
前記端末装置に、
前記用紙及び前記情報消去用紙の形状情報及び理論上の空間の座標を対応付ける情報と、前記位置情報を格納する記憶機能と、
前記位置情報を前記記憶機能に登録する位置情報登録機能と、
前記電子ペンで取得した前記ストロークデータを、理論上の空間における位置情報に変換して前記位置情報登録機能に受け渡すストロークデータ処理機能と、
理論上の空間における前記情報消去用紙の領域に位置情報が存在すると認識すると、この情報消去用紙の形状情報を前記記憶機能から取得する消去受付機能と、
前記形状情報と前記情報消去用紙に存在する位置情報とを用い、理論上の空間における前記情報消去用紙の貼付位置を算出する消去位置検出機能と、
理論上の空間における前記情報消去用紙の貼付位置を利用して、前記貼付位置の領域における前記用紙に存在する位置情報と前記情報消去用紙に存在する位置情報とを置換して、前記位置情報登録機能に受け渡す記入情報消去機能と、
を実現させるための電子ペンにより取得した位置情報の消去プログラム。
【発明の詳細な説明】
【技術分野】
【０００１】
本発明は、手書き入力された情報を電子データ化する方法に関し、殊に手書き入力された情報と紙面上の情報とを整合性を持たせて消去、修正する方法に関する。
【背景技術】
【０００２】
紙などに手書きで入力する情報を電子化する方法としては、例えば、スキャナや、ＯＣＲ（Ｏｐｔｉｃａｌ  Ｃｈａｒａｃｔｅｒ  Ｒｅａｄｅｒ）、電子ペンなどを用いた入力方法があげられる。この中で特に電子ペンを用いた入力方法は、従来の筆記具の形態に電子機器を内蔵した電子ペンを用いることで、極めて馴染みやすい形態をもった入力方法である。
【０００３】
この電子ペンを用いて記入情報を取得する方法は、大きく２種類に分類される。１つは位置検索用の装置と電子ペンとの距離を測り、軌跡を電子化する方法であり、もう１つは特許文献１に開示されたような特殊な紙に書かれた位置コードを電子ペン自身により読み取り、軌跡を電子化する方法である。ここで、このような電子ペンを用いた入力方法では、記入情報はそのまま軌跡（ストロークデータ）として、例えばサーバ装置に送信され、位置情報に変換されて保存される。ここで、この保存され位置情報の一部を消去する場合には、何らかの手段でサーバ装置上の位置情報を消去するという方法が取られてきた。
【特許文献１】特表２００３−５００７７７号公報（段落０００９〜００１４、図８）
【発明の開示】
【発明が解決しようとする課題】
【０００４】
電子ペンを用いた入力方法の利点として、紙に書いた情報（記入情報）が実際に残るため、ディスプレイのような電子的な表示手段が無い場合であっても、視覚的にこの記入情報が確認できるということが挙げられる。しかしながら、この記入情報を電子化して位置情報に変換してサーバ装置などに保存し、その後、この位置情報の一部を消去したい場合、従来はサーバ装置上の位置情報のみを何らかの手段で消去するだけであり、記入情報と位置情報との不整合が起こるという問題があった。また、電子ペンによって記入情報を記入した紙などの上に、さらに訂正することを表す情報を記入することで、サーバ装置上の位置情報を消去するという方法もあるが、この場合、紙などの表面が汚れてしまうという問題点があった。また、このような消去を必要とする場合は、記入内容の修正、すなわち書き直しを伴う場合が多く、この場合、これらの方法では対応することが難しかった。
【０００５】
したがって、本発明の課題は、紙などに記入された記入情報を、電子ペンから位置情報として入力する方法において、記入情報を消去または訂正する場合、記入情報と位置情報とを整合性を持たせて消去し、かつ記入情報を消去した領域に、再度記入を可能とする位置情報取消方法及び位置情報取消プログラムを提供することである。
【課題を解決するための手段】
【０００６】
前記した課題を達成するためになされた本発明に係る位置情報取消方法は、電子ペンを用いた入力方法において、端末装置に格納された位置情報を、これに対応する記入情報と整合させて消去する方法であって、消去する記入情報に貼付された、理論上の空間において位置情報を消去する領域に対応付けられた所定の形状を有する情報消去用紙に、電子ペンを用いて入力された情報消去用紙の位置を特定する記入情報を、この端末装置で位置情報として取得するステップと、情報消去用紙の形状情報を端末装置の記憶手段から取得するステップと、この形状情報とこの位置情報とを用いて、情報消去用紙の理論上の空間における貼付位置を計算して、この貼付位置と重なる領域の用紙の位置情報を消去又は履歴ファイルに移動するステップを含むことを特徴としている。
【０００７】
この位置情報取消方法によると、情報消去用紙を用いることで、位置情報と記入情報を、整合性を持たせて消去することができる。
また、この情報消去用紙に前記電子ペンを用いて記入された記入情報を、用紙への貼付位置に対応した位置情報として取得することも可能であり、これにより、情報消去用紙で視覚的に消去した記入情報の上に新たに記入情報を入力することが可能となり、記入情報の修正を行うことができる。
【０００８】
また、情報消去用紙を、所定の幅を有するテープ状に加工して、任意の長さに切断して用いることも可能である。これにより、理論上の空間における修正テープに相当するものが実現できる。
【０００９】
また、前記課題を解決するためになされた本発明に係る位置情報取消プログラムは、種類を特定可能に作成された用紙に手書きで記入された記入情報を、電子ペンを用いてストロークデータとして取得し、端末装置においてストロークデータから変換されて格納された理論上の空間における位置情報を、所定の形状を有する情報消去用紙を消去する記入情報に貼付することで消去する位置情報取消方法において、この端末装置に、用紙及び情報消去用紙の形状情報及び理論上の空間の座標を対応付ける情報と、位置情報とを格納する記憶機能と、位置情報をこの記憶機能に登録する位置情報登録機能と、電子ペンで取得したストロークデータを、理論上の空間における位置情報に変換して位置情報登録機能に受け渡すストロークデータ処理機能と、理論上の空間における情報消去用紙の領域に位置情報が存在すると認識すると、この情報消去用紙の形状情報を前記記憶機能から取得する消去受付機能と、形状情報と情報消去用紙に存在する位置情報とを用いて、理論上の空間における情報消去用紙の貼付位置を算出する消去位置検出機能と、情報消去用紙の貼付位置を利用して、貼付位置の領域における用紙に存在する位置情報と情報消去用紙に存在する位置情報とを置換して、位置情報登録機能に受け渡す記入情報消去機能と、を実現させるための位置情報取消プログラムである。
【００１０】
このプログラムによって、端末装置は、前記した位置情報取消方法を実行することができる。
【発明の効果】
【００１１】
本発明によると、紙などに記入される記入情報を、電子ペンから位置情報として入力する方法において、従来困難であった紙面上の情報と電子情報とを同時に且つ整合性を持って消去する方法を容易に実現できる。また、消去した位置への再記入が可能であり、紙上での消去及び修正に対応させて、容易に電子情報も消去及び修正することができる。さらに、取消領域に対応するドットパターンを複数のシステムで共通に用いることで、このドットパターンを印刷した用紙を複数のシステムで共通の取消用紙として利用することができ、紙面上の情報及び電子情報の両方に対応できる修正テープ又は付箋が実現できる。
【発明を実施するための最良の形態】
【００１２】
以下、本発明の実施の形態について図面を参照して詳細に説明する。
【００１３】
（情報取消システム）
図１は、本発明に係る位置情報取消方法が適用されるシステム（以下、情報取消システムと表記する）の構成例を示した図である。図１を参照すると、情報取消システムは、用紙２に記入される記入情報をストロークデータとして取得する電子ペン１と、位置が特定できる特殊なドットパターンが表面に印刷された用紙２と、ストロークデータを変換した位置情報の保持や、この位置情報の消去などを行うペンサーバ４を含んで構成されている。さらに本実施の形態では、記入情報及びこの記入情報を電子化した位置情報を、整合性を持たせて消去及び修正するために、テープ状に加工された情報消去テープを用いる。次に、これらの構成要素について説明する。
【００１４】
（電子ペン）
図２は、本実施の形態で用いる電子ペン１の構成例を示した図である。図２に示すように、電子ペン1は、位置が特定できる特殊なドットパターンが記録された用紙２に必要事項を記入するための筆記手段であるペン１０と、用紙２に印刷されたドットパターンを読取るカメラ１１と、記入時にペン１０に作用する筆圧を検出する圧電素子１２と、カメラ１１及び圧電素子１２からのデータを処理して、記入により移動するペン先の位置をドットパターンと関連付けた情報であるストロークデータを作成する処理装置１３と、作成されたストロークデータの蓄積などを行うメモリ１４と、ストロークデータなどを他の装置に送信するための伝送装置１６とを有している。さらに、入力状況や入力エラーを表示する表示画面１５や、入力エラーを利用者に振動で伝える振動モータ１７なども有している。伝送装置１６の例としては、前記した短距離無線伝送技術の一種であるブルートゥース（Ｒ）の通信プロトコルに従い、所定の周波数帯域の電波を利用してデータを送受信する装置があげられるが、その他の無線技術や、無線ＬＡＮ（Ｌｏｃａｌ  Ａｒｅａ  Ｎｅｔｗｏｒｋ）、あるいは、有線通信技術の通信プロトコルに従ってデータを送受信する装置であってもよい。また、処理装置１３は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、電気・電子回路などから構成されており、電子ペン１を統括的に制御する。具体的には、ストロークデータの作成及び蓄積、ストロークデータの伝送、紙の種類を特定する情報の解析、表示画面１５及び振動モータ１７の制御などがあげられる。
【００１５】
（用紙）
電子ペン１により記入される用紙２は、２次元的平面の広がりを持つ理論上の空間を形成する。この用紙２に前記した特許文献１に記載された書類と同様に、理論上の空間での座標と対応する位置を特定できる特殊なドットパターンが印刷されることで、電子処理用ペーパとして機能するものであり、用紙２を特定できる固有のドットパターンの配置を含んでいる。このドットパターンは、紙面を所定サイズの格子に区切った場合に、その位置を特定できるようにドットが配置されており、ドットパターンから用紙２上の位置を特定することができる。なお、本実施の形態の情報取消システムの利用者が、この用紙２に電子ペン１を用いて記入した軌跡３はストロークデータに変換されて、電子ペン１のメモリ１４に蓄積される。
【００１６】
（情報消去テープ・情報消去用紙）
次に、図３は、本実施の形態の情報消去テープをホルダに収納して使用する例を説明する図面である。情報消去テープ３３は、表面には理論上の空間での座標に対応するドットパターンが印刷されている。なお、このドットパターンは、情報消去テープ３３を特定できる固有のドットパターンの配置を有している。また、情報消去テープ３３は、裏面に粘着性物質が塗布され、所定の幅を有した細長いリボン状のテープに形成されており、円筒形の芯に巻き付けられて、巻き出し回転自在にホルダ３４に保持されている。ここで、情報消去テープ３３が配置される理論上の空間の領域は、図１に示したペンサーバ４に格納された位置情報を消去及び修正するための領域と定義された領域内に設定されている。
【００１７】
本実施の形態では、この情報消去テープ３３を任意の長さに切断して位置情報を消去したい箇所に貼付することで、位置情報の消去を実現する。このため、情報消去テープ３３は、ホルダ３４に備えられたカッタ３２によって任意の長さに切断して使用される。なお、カッタ３２で切断された任意の長さの情報消去テープ３３を、情報消去用紙と呼ぶこととし、図４には、この任意の長さに切断された情報消去用紙の例が示されている。図４に示すように、情報消去用紙４０は、所定の幅ｗ１と任意の長さｈ１とを有している。この情報消去用紙４０を用いた位置情報取消方法については、後記する実施形態例の中で詳しく説明する。
【００１８】
（ペンサーバ）
再び図１を参照して、ペンサーバ４は、ストレージ２０、ＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２及びペンレシーバ２３から主に構成され、典型的にはパーソナルコンピュータにより実現される。ストレージ２０は、たとえばハードディスクドライブで実現され、ペンサーバ４の各機能を実現するプログラムや、様々なデータを格納している。ペンサーバ４は、ストレージ２０に格納されたプログラムをＲＡＭ２２に展開してＣＰＵ２１が実行することで、本実施の形態の位置情報取消方法を実現することができる。また、ペンレシーバ２３は、図２に示した電子ペン１の伝送装置１６から送信されるストロークデータなどを受信する装置である。
【００１９】
次に、ペンサーバ４のストレージ２０に格納されたプログラム及びストレージ２０内に構築されたデータベースについて説明する。
【００２０】
初めに、ストロークデータ処理プログラム２４は、予め対応情報管理データベース２９に格納された後記する紙の種類ごとの対応情報を用いて、電子ペン１から送られるストロークデータを位置情報に変換して位置情報登録プログラム２８に受け渡す機能を実現する。そして、消去受付プログラム２５は、情報取消システムの利用者が電子ペンを用いて入力する位置情報を消去したいことを示す情報により起動し、形状管理データベース３０から、予め登録されている用紙２及び情報消去テープ３３の形状情報を取得して後記する消去位置検出プログラム２６に、この形状情報を受け渡す機能を実現する。なお、この位置情報を消去したいことを示す情報については後記する実施形態例の中で説明する。
【００２１】
そして、消去位置検出プログラム２６は、消去受付プログラム２５から受け渡された情報消去テープ３３の形状情報を用いて、理論上の空間において、この情報消去テープ３３から切り出された情報消去用紙４０が、用紙２のどの部分に貼付されたかを算出する機能を実現する。また、位置情報消去プログラム２７は、消去位置検出プログラム２６が算出した、用紙２上の情報消去用紙４０が貼付される領域を、情報消去用紙４０の領域と置換して、置換された領域に包含される位置情報を位置情報登録プログラム２８に受け渡す機能を実現する。そして、位置情報登録プログラム２８は、ストロークデータ処理プログラム２４及び位置情報消去プログラム２７から受け渡された位置情報を位置情報管理データベース３１に登録する機能を実現する。
【００２２】
そして、対応情報管理データベース２９には、用紙２及び情報消去テープ３３の表面に印刷されたドットパターンと理論上の空間での座標とを対応付ける対応情報が格納されている。形状管理データベース３０には、図３に示した情報消去テープ３３の形状情報と、用紙２の形状情報とが格納されている。位置情報管理データベース３１には、位置情報登録プログラム２８によって、用紙２に記入された軌跡３の記入情報から変換された位置情報などが格納されている。なお、これらのプログラムによるペンサーバ４の動作については後記する実施形態例の中で詳しく説明する。
【００２３】
（第１実施形態例）
次に、図１、図３及び図４を参照して、前記した情報取消システムを用いて、ペンサーバ４の位置情報管理データベース３１に格納された位置情報を、実際の用紙２に記入された軌跡３の記入情報と整合性を持たせて消去及び修正する本発明の第１実施形態例について説明する。本実施形態例では、軌跡３の位置情報を消去する前提として、予めペンサーバ４の位置情報管理データベース３１には、用紙２に記入された軌跡３の位置情報が格納されていることとする。また、理論上の空間において、情報消去テープ３３には情報取消用の領域が割り当てられ、用紙２及び情報消去テープ３３と理論上の空間の座標の対応を示す対応情報は、予めペンサーバ４の対応情報管理データベース２９に格納してあることとする。
【００２４】
本実施形態例では、前記したように、予め用紙２には電子ペン１を用いて軌跡３が記入されている。このときペンサーバ４が認識している理論上の空間を説明する図を図５に示す。この図５に例示したドットパターンが構成する理論上の空間４１では、用紙２と情報消去テープ３３が別の領域に配置され、軌跡３の位置情報が用紙２の領域の上にマッピングされる。この図５に示した理論上の空間４１は、対応情報管理データベース２９に格納されたそれぞれの領域と理論上の空間の座標を対応させる対応情報と、形状管理データベース３０に格納された用紙２と情報消去テープ３３との形状情報とに基づいてマッピングし、さらに位置情報管理データベース３１に格納された軌跡３の位置情報を、用紙２の領域の上にマッピングすることで構成される。なお、この理論上の空間４１には、用紙２及び情報消去テープ３３の領域以外にも必要に応じて領域を確保することが出来る。例えば、本実施形態例の情報消去用紙４０とは別形状の情報消去用紙に対応する領域を理論上の空間４１の一部に配置することも可能である。
【００２５】
前記した条件において、位置情報を消去及び修正する過程を、ペンサーバ４の処理の過程を例示した図６を参照して、具体的に説明する。初めに、情報取消システムの利用者は、用紙２に記入された軌跡３及びその位置情報を消去するために、図３に示したホルダ３４に保持された情報消去テープ３３から、軌跡３が隠れる程度の任意の長さの情報消去用紙４０を切り出し、図７に例示するように、消去したい軌跡３の上にこの情報消去用紙４０を貼付する。そして、情報取消システムの利用者は、電子ペン１を用いて、用紙２及び情報消去用紙４０の長さ方向の端部を跨ぐように、第１マーク４２及び第２マーク４３を記入する。この第１マーク４２及び第２マーク４３のストロークデータは、電子ペン１から、ペンサーバ４のペンレシーバ２３に送信される。なお、これらのストロークデータには、ドットパターンから判別される紙の種類（用紙２に書かれたものか、情報消去用紙４０が包含される情報消去テープ３３に書かれたものか）を特定する情報も付加されている。
【００２６】
まず、ペンサーバ４は、この第１マーク及び第２マークのストロークデータを取得する（ステップＳ１００）。ここで、ペンサーバ４のペンレシーバ２３に受信された第１マーク４２及び第２マーク４３のストロークデータは、一旦ＲＡＭ２２に蓄えられる。そして、ペンサーバ４のストロークデータ処理プログラム２４が起動し、対応情報管理データベース２９に格納された用紙２及び情報消去テープ３３の対応情報を用いて、第１マーク４２及び第２マーク４３のストロークデータを位置情報に変換する（ステップＳ１０１）。
【００２７】
ここで、情報消去テープ３３を含む情報取消用の空間を跨いで第１マーク４２及び第２マーク４３の位置情報がマッピングされたと判断すると（ステップＳ１０２においてＹｅｓ）、ペンサーバ４は、情報取消システムの利用者は位置情報の消去を行ないたいと判断して、消去受付プログラム２５を起動する。そして、消去受付プログラム２５は、形状管理データベース３０から、用紙２及び情報消去テープ３３の形状情報を取得する（ステップＳ１０３）。
【００２８】
これによりペンサーバ４は、図８に例示した理論上の空間４１のように、用紙２、情報消去テープ３３、第１マーク４２、第２マーク４３の配置を認識できる。そして、ペンサーバ４の消去位置検出プログラム２６は、用紙２と情報消去用紙４０とに跨って書込まれた第１マーク４２及び第２マーク４３の位置情報を認識し、用紙２に入力された位置情報から情報消去用紙４０に入力された位置情報に移り変わる点又は、情報消去用紙４０に入力された位置情報から用紙２に入力された位置情報に移り変わる点の座標を、点４２ａ（第１マーク４２の情報消去用紙４０側の切片）、点４２ｂ（第１マーク４２の用紙２側の切片）、点４３ａ（第２マーク４３の情報消去用紙４０側の切片）、点４３ｂ（第２マーク４３の用紙２側の切片）として算出する。このように、ペンサーバ４は、第１マーク４２及び第２マーク４３が２つの空間を跨ぐ切片を全て算出する（ステップＳ１０４）。
【００２９】
そして、消去位置検出プログラム２６は、図８に示した理論上の空間４１における点４２ａ、点４２ｂ、点４３ａ及び点４３ｂの座標から、情報消去テープ３３から切り出された情報消去用紙４０の領域が、用紙２のどの領域に貼付されたかを示す貼付位置の情報を算出する（ステップＳ１０５）。
【００３０】
(計算方法)
ここで、理論上の空間４１において、情報消去用紙４０の領域が、用紙２のどの領域に貼付されたかを計算する過程について詳しく説明する。図７に示した実際の用紙２において、軌跡３を消去するために情報消去用紙４０を用紙２に貼付して、第１マーク４２と第２マーク４３を電子ペン１で記入すると、ペンサーバ４は、図８に示した理論上の空間４１において、点４２ａ、点４２ｂ、点４３ａ及び点４３ｂの４点の座標を計算する。この４点の座標を用いて、理論上の空間４１において、情報消去用紙４０の領域が、情報消去テープ３３の領域のどの位置に包含されているかを判定し、さらに、用紙２の領域のどこに情報消去用紙４０の領域が貼付されているかを判定することが出来る。
【００３１】
ここで、ペンサーバ４が算出した理論上の空間４１における各点の座標を、点４２ａ（ｘ１，ｙ１）、点４２ｂ（ｘ２，ｙ２）、点４３ａ（ｘ３，ｙ３）及び点４３ｂ（ｘ４、ｙ４）とする。
【００３２】
まず、これにより、情報消去用紙４０の長さｈ１は、｜ｙ１−ｙ３｜と求めることができ、これにより、情報消去テープ３３から切り出された情報消去用紙４０の形状が決定される。
【００３３】
ここで、図７に示すように実際に用紙２に情報消去用紙４０を貼付する行為は、図８に示した理論上の空間４１においては、情報消去用紙４０の領域を、平行移動及び回転移動させて、用紙２の領域に情報消去用紙４０の領域を対応づけることに相当する。そのため、理論上の空間４１において、情報消去用紙４０上の任意の点（ｘ’，ｙ’）が、用紙２上の点（ｘ，ｙ）に対応しているとすると、この対応関係は、次に示す式（１）を用いて表現することが可能である。この式（１）により、情報消去用紙４０が用紙２のどの位置に貼付されて対応しているかを算出することができる。
【数１】
2005085155.tif 000003
【００３４】
なお、ここでｘ５とは、図８に示す理論上の空間４１における情報消去テープ３３が占める領域の最も原点寄りの部分のｘ座標を示しており、理論上の空間４１に情報消去テープ３３の領域を予め配置する際に設定される数値である。またφは、情報消去用紙４０上の任意の点の用紙２へ写像の回転角を示しており、次に示す式（２）で求めることができる。
【数２】
2005085155.tif 000004
【００３５】
この式（１）を用いて、図８に示した理論上の空間において、情報消去用紙４０の領域が、用紙２の符号４０ａで示される領域に貼付されたことが計算される。
【００３６】
次に、この消去位置検出プログラム２６が算出した情報消去用紙４０の貼付位置の情報を利用して、位置情報消去プログラム２７が、図８に示した理論上の空間４１における、符号４０ａで示される領域に包含される用紙２の位置情報を消去する（ステップＳ１０６）。そして、位置情報消去プログラム２７は、情報消去用紙４０に包含される位置情報を、用紙２の符号４０ａで示した領域の位置情報として変換する（ステップＳ１０７）。
そして、位置情報登録プログラム２８は、この変換された位置情報を位置情報管理データベース３１に格納する（ステップＳ１０８）。以上の過程を経て、情報消去用紙４０の領域に包含される位置情報は置換され、位置情報管理データベース３１に格納されることとなる。なお、用紙２の符号４０ａで示す領域に包含される位置情報を情報消去用紙４０の領域に包含される位置情報と置換する際に、用紙２の符号４０ａで示す領域に包含される位置情報は、本実施形態例のように消去することも可能であり、また、ペンサーバ４の位置情報管理データベース３１に履歴位置情報として別途格納することも可能である。
【００３７】
これにより、実際の用紙２の軌跡３は、情報消去用紙４０により覆い隠されることで視覚上消去され、ペンサーバ４により認識される理論上の空間では、図８に示した符号４０ａの領域に包含される軌跡３の位置情報は、情報消去用紙４０の領域の式（１）による写像領域により覆い隠され、この状況を消去と認識して、情報消去用紙４０の領域に包含される位置情報を上書き登録することで、実際の用紙２における軌跡３と、理論上の空間４１における用紙２の軌跡３の位置情報との整合性を持たせて消去することが可能となる。
【００３８】
これ以降、ペンサーバ４は、実際の用紙２に貼付された情報消去用紙４０に、電子ペン１で記入される情報を、一旦、理論上の空間４１において情報消去用紙４０の領域に記入されたとみなし、式（１）による写像の領域である符号４０ａで示される領域記入された位置情報であるとして置換する。このことにより、紙面上の情報と電子情報とを整合性を持って追記することも可能となり、軌跡３の記入情報の修正が可能となる。
【００３９】
以上、説明した本実施形態例によると、用紙２に記入した軌跡３の記入情報を、電子ペン１を用いて位置情報としてペンサーバ４に格納するシステムにおいて、実際の付箋や、修正テープを用いる感覚で、実際の用紙２に記入された軌跡３が消去及び修正ができるとともに、これに整合性を持たせて、ペンサーバ４に格納された軌跡３の位置情報を消去及び修正をすることができる。
【００４０】
（第２実施形態例）
次に、本発明の第２実施形態例について説明する。本実施形態例は、図１に示した第１実施形態例のペンサーバ４において、対応情報管理データベース２９及び形状管理データベース３０に含まれる情報のうち、図４に示した情報消去用紙４０の対応情報及び形状情報を、ネットワークで接続された外部のストレージサーバに置くことを特徴としている。
【００４１】
例えば図９は、本実施形態例における情報取消システムの全体構成図を示した図である。次に、本実施形態例の情報取消システムの構成要素を説明する。
【００４２】
ペンサーバ４は、図１に示した第１実施形態例のペンサーバ４と同じ構成を有しており、ただし、本実施形態例では対応情報管理データベース２９及び形状管理データベース３０には、情報消去用紙４０の対応情報及び形状情報は含まれていない。また、図９に示すように、本実施形態例のペンサーバ４は、モデム４６ａをインターフェイスとしてネットワーク４４に接続されている。そして、本実施形態例では、電子ペン１、用紙２及び情報消去用紙４０も第１実施形態例と同様であるため、説明を省略する。なお、用紙２には第１実施形態例と同様に、予め軌跡３が電子ペン１を用いて記入されており、その位置情報はペンサーバ４の位置情報管理データベース３１に格納されている。
【００４３】
ストレージサーバ４５は、公知の技術を用いたサーバ装置であり、モデム４６ｂをインターフェイスとして、ネットワーク４４を介して、ペンサーバ４と接続されている。本実施形態例のストレージサーバ４５は、図３に示した情報消去用紙４０を包含する情報消去テープ３３の対応情報が格納された取消用対応情報管理データベース２９ａと、同じく形状情報が格納された取消用形状管理データベース３０ａとを有しており、ペンサーバ４の要求に応じて、この情報消去テープ３３の対応情報と形状情報とをペンサーバ４に送信する機能を有している。そして、ネットワーク４４としては、例えば、インターネット、ＬＡＮ（Ｌｏｃａｌ  Ａｒｅａ  Ｎｅｔｗｏｒｋ）、無線ＬＡＮ、無線パケット通信網などを用いることができる。
【００４４】
次に、図１、図８及び図９を参照して、本実施形態例の情報取消システムの動作について説明する。第１実施形態例と同様に、本実施形態例の情報取消システムの利用者は、実際の用紙２に記入された軌跡３と、この位置情報を消去するために、情報消去テープ３３から任意の長さを有する情報消去用紙４０を切り出し、軌跡３の上に貼付する。そして、第１実施形態例と同様に、用紙２と、情報消去用紙４０の長さ方向の端部の２箇所を跨ぐように、電子ペン１を用いてチェックを入れる。このとき、電子ペン１はこのチェックのストロークデータを取得すると同時に、情報消去用紙４０のドットパターンから、情報消去用紙４０が包含される情報消去テープ３３の種類を特定する情報を取得して、ペンサーバ４に、このストロークデータとともに、情報消去用紙４０が包含される情報消去テープ３３の種類を特定する情報を送信する。
【００４５】
このストロークデータと情報消去テープ３３の種類を特定する情報を受信したペンサーバ４では、ストロークデータ処理プログラム２４が、ストロークデータを位置情報に変換する際に用いる自身の対応情報管理データベース２９に、情報消去テープ３３の対応情報が格納されていないことを判断して、ストレージサーバ４５に、情報消去テープ３３の対応情報と形状情報の要求を送信する。この要求を受信したストレージサーバ４５は、取消用対応情報管理データベース２９ａ及び取消用形状管理データベース３０ａから、情報消去テープ３３に対応する対応情報及び形状情報を検索して、これらの情報をペンサーバ４に送信する。そして、情報消去テープ３３の対応情報及び形状情報を受信したペンサーバ４は、これらの情報をＲＡＭ２２に格納する。
【００４６】
以降、第１実施形態例と同様の過程で、実際の用紙２に記入された軌跡３の上から情報消去用紙４０を貼付することで視覚的に軌跡３を消去するとともに、理論上の空間４１においても、用紙２の領域のうち情報消去用紙４０が貼付された領域を情報取消用の領域と置換することで、軌跡３の位置情報は消去される。
【００４７】
以上、説明した本実施形態例によると、複数のペンサーバ４が存在する場合に、ペンサーバ４とネットワーク４４を介して接続されたストレージサーバ４５に、情報消去テープ３３などの情報取消用の領域の対応情報及び形状情報を格納しておくことで、それぞれのペンサーバ４にこれらの情報を格納する必要が無く、ペンサーバ４のストレージ２０の領域を有効に利用することができる。
【００４８】
（第３実施形態例）
前記した情報取消システムを用いて、図３に示した情報消去テープ３３のかわりに所定の形状に形成された情報消去用紙をペンサーバ４（図１参照）に登録しておくことで、任意の場所に貼付する情報消去用紙を作成することも可能である。この情報消去用紙は裏面に糊を塗布した付箋紙やテープのような形状にしておいても良い。
【００４９】
例えば図１０は、本実施の形態における情報消去用紙の第３実施形態例である。図１０に示した情報消去用紙５０ａないし５０ｆ（以降、情報消去用紙５０と総称する）は、所定の形状に形成されて複数個並べて台紙に貼付されている。本実施形態例の情報消去用紙５０も、図４に示した情報消去用紙４０と同様に、表面に位置を特定可能なドットパターンが印刷されており、ペンサーバ４の対応情報管理データベース２９及び形状管理データベース３０には、この情報消去用紙５０の対応情報及び形状情報が登録されている。
【００５０】
ここで、位置情報を消去したい情報取消システムの使用者は、この情報消去用紙５０を台紙から用紙２の位置情報を消去したい領域に貼りかえる。そして電子ペン１を用いて、用紙２と情報消去用紙５０を跨ぐように２箇所のチェックを入れる。この情報により、以下、前記した実施形態例と同様に、理論上の空間において、用紙２の領域のうち、情報消去用紙５０が貼付された領域が置換されて、位置情報が消去される。
【００５１】
以上の説明した本発明にかかる実施の形態の中で、多くの事項が具体的に記載されているが、それらは発明の範囲を限定するものではなく、望ましい一実施の形態として例示したものであり、本発明が属する技術分野における当業者であれば、本発明の技術的な思想に基づいて、さまざまに変形して本発明を実施することが可能である。例えば、本実施の形態では、用紙に記載された記入情報を情報修正用紙で覆うことで、記入情報に対応した位置情報を消去することとしたが、用紙の位置情報と、情報消去用紙の位置情報とを別に登録することで、位置情報をレイヤー状に分けて格納する構成も考えられる。このような構成とすることで、修正前の位置情報も参照できるとともに、情報消去用紙を付箋のように扱うことも可能となる。したがって、本発明の範囲は前記した実施の形態により定められるのではなく、特許請求の範囲に記載された技術的思想により定められる。
【図面の簡単な説明】
【００５２】
【図１】位置情報取消システムの全体構成を表す図である。
【図２】電子ペンの構成を表す図である。
【図３】情報消去テープのホルダの側面図である。
【図４】情報消去用紙を説明する図である。
【図５】理論上の空間における用紙と情報消去テープとの位置関係を説明する図である。
【図６】ペンサーバにおける位置情報取消過程を示すフローチャートである。
【図７】用紙に情報消去用紙を添付した状態を説明する図である。
【図８】図７の状態における理論上の空間を説明する図である。
【図９】外部のストレージサーバを用いた位置情報取消システムの全体構成を表す図である。
【図１０】情報取消用紙の別実施形態例を説明する図である。
【符号の説明】
【００５３】
１      電子ペン
２      用紙
３      軌跡
４      ペンサーバ
３３    情報消去テープ
４０    情報消去用紙
４１    空間
５０ａ〜５０ｆ  情報消去用紙
【図１】
2005085155.tif 000005
【図２】
2005085155.tif 000006
【図３】
2005085155.tif 000007
【図４】
2005085155.tif 000008
【図５】
2005085155.tif 000009
【図６】
2005085155.tif 000010
【図７】
2005085155.tif 000011
【図８】
2005085155.tif 000012
【図９】
2005085155.tif 000013
【図１０】
2005085155.tif 000014